(57)【要約】医療機関（１４）の電子キー伝達システム（１０）はコントロール・ポイント（７０）を含む。コントロール・ポイント（７０）は、ＭＢＡＮスペクトルのコーディネータ（１２）から１つ又は複数の電子キーを受信する。電子キーそれぞれは、ＭＢＡＮスペクトルの少なくとも一部分を医療機関（１４）が使用することを認可する。システム（１０）は更に、電子キーに基づいて１つ又は複数のチャネル利用規則をプロセッサ（８０）によって生成するチャネル・レギュレータ（７２）を含む。チャネル利用規則は、医療機関（１４）のＭＢＡＮシステム（１８、２０、２２）がＭＢＡＮスペクトルの少なくとも一部分を利用することを認可する。更に、システム（１０）は、チャネル利用規則に基づいてＭＢＡＮスペクトルの現在認可されている部分をＭＢＡＮシステム（１８、２０、２２）に通知する１つ又は複数のアクセス・ポイント及び／又はポート（７４、７６）を含む。
2015505174.tif 000002
【特許請求の範囲】
【請求項１】
医療機関の電子キー伝達システムであって、
ＭＢＡＮスペクトルのコーディネータから１つ又は複数の電子キーを受信するコントロール・ポイントであって、前記電子キーはそれぞれ、前記医療機関が前記ＭＢＡＮスペクトルの少なくとも一部分を利用することを認可するコントロール・ポイントと、
前記電子キーに基づいて１つ又は複数のチャネル利用規則をプロセッサによって生成するチャネル・レギュレータであって、前記チャネル利用規則は、前記医療機関のＭＢＡＮシステムが前記ＭＢＡＮスペクトルの少なくとも一部分を利用することを認可するチャネル・レギュレータと、
前記チャネル・レギュレータから前記チャネル利用規則を受信し、前記チャネル利用規則に基づいて前記ＭＢＡＮスペクトルの現在認可されている部分を前記ＭＢＡＮシステムに通知する１つ又は複数のアクセス・ポイント及び／若しくはポートと
を備えるシステム。
【請求項２】
請求項１記載のシステムであって、前記電子キーはそれぞれ、前記ＭＢＡＮスペクトルの少なくとも一部分の利用に関する時間制限を含むシステム。
【請求項３】
請求項１又は２に記載のシステムであって、前記コーディネータは、前記コーディネータに登録された前記医療機関を含む１つ又は複数の医療機関による前記ＭＢＡＮスペクトルの利用を連携し、前記登録された医療機関は、前記ＭＢＡＮスペクトルのセカンダリ・ユーザであり、前記コーディネータは、前記ＭＢＡＮスペクトルのプライマリ・ユーザを保護するために、前記ＭＢＡＮスペクトルの前記利用を連携するシステム。
【請求項４】
請求項１乃至３の何れか一項に記載のシステムであって、前記ＭＢＡＮスペクトルは２３６０−２３９０ＭＨｚであるシステム。
【請求項５】
請求項１乃至４の何れか一項に記載のシステムであって、前記チャネル利用規則はそれぞれ、ＭＢＡＮタイプ、及び前記ＭＢＡＮタイプの認可されたチャネルのリストを含み、前記ＭＢＡＮタイプはＭＢＡＮ通信標準に対応するシステム。
【請求項６】
請求項１乃至５の何れか一項に記載のシステムであって、前記チャネル規則の少なくとも１つはバージョン及び／又は時間制限を含むシステム。
【請求項７】
請求項１乃至６の何れか一項に記載のシステムであって、前記チャネル・レギュレータは、別々のＭＢＡＮタイプによる、前記ＭＢＡＮスペクトルの重なる利用を阻止する旨の前記チャネル利用規則を生成するシステム。
【請求項８】
請求項１乃至７の何れか一項に記載のシステムであって、前記アクセス・ポイント及び／又はポートはそれぞれ、キューにおける前記チャネル・レギュレータから受信されたチャネル利用規則を維持し、前記キューにおける前記チャネル利用規則に基づいて前記ＭＢＡＮスペクトルの現在認可されている部分を、それに接続するか、又は関連付けられたＭＢＡＮシステムに通知するシステム。
【請求項９】
請求項１乃至８の何れか一項に記載のシステムであって、前記チャネル・レギュレータは、対応するカバレージ・エリアの前記アクセス・ポイント及び／又はポートからＭＢＡＮスペクトル利用及び／又は配置情報を受信し、前記チャネル・レギュレータは、前記ＭＢＡＮスペクトル利用及び／又は配置情報に基づいて前記チャネル利用規則を生成するシステム。
【請求項１０】
請求項１乃至９の何れか一項に記載のシステムであって、前記チャネル・レギュレータは、前記アクセス・ポイント及び／又はポートの要求に基づいて前記アクセス・ポイント及び／ポート間で前記ＭＢＡＮスペクトルの少なくとも一部分の割り当てを調節するシステム。
【請求項１１】
請求項１乃至１０の何れか一項に記載のシステムであって、前記チャネル利用規則の少なくとも１つは前記アクセス・ポイント及び／又はポートの１つに特有であるシステム。
【請求項１２】
医療機関にわたって電子キーを伝達する方法であって、
ＭＢＡＮスペクトルのコーディネータから１つ又は複数の電子キーを受信する工程であって、前記電子キーはそれぞれ、前記医療機関が前記ＭＢＡＮスペクトルの少なくとも一部分を利用することを認可する工程と、
前記電子キーに基づいて１つ又は複数のチャネル利用規則をプロセッサによって生成する工程であって、前記チャネル利用規則は、前記医療機関のＭＢＡＮシステムが前記ＭＢＡＮスペクトルの少なくとも一部分を利用することを認可する工程と、
前記チャネル利用規則に基づいて前記ＭＢＡＮスペクトルの現在認可されている部分を前記ＭＢＡＮシステムに通知する工程と
を含む方法。
【請求項１３】
請求項１２記載の方法であって、前記電子キーはそれぞれ、前記ＭＢＡＮスペクトルの少なくとも一部分の利用に関する時間制限を含む方法。
【請求項１４】
請求項１２又は１３に記載の方法であって、前記コーディネータは、前記コーディネータに登録された前記医療機関を含む１つ又は複数の医療機関による前記ＭＢＡＮスペクトルの利用を連携し、前記登録された医療機関は、前記ＭＢＡＮスペクトルのセカンダリ・ユーザであり、前記コーディネータは、前記ＭＢＡＮスペクトルのプライマリ・ユーザを保護するために、前記登録された医療機関による前記ＭＢＡＮスペクトルの前記利用を連携する方法。
【請求項１５】
請求項１２乃至１４の何れか一項に記載の方法であって、前記ＭＢＡＮスペクトルは２３６０乃至２３９０ＭＨｚである方法。
【請求項１６】
請求項１２乃至１５の何れか一項に記載の方法であって、前記チャネル利用規則はそれぞれ、ＭＢＡＮタイプ、及び前記ＭＢＡＮタイプの認可されたチャネルのリスト、バージョン、及び時間制限を含み、前記ＭＢＡＮタイプはＭＢＡＮ通信標準に対応する方法。
【請求項１７】
請求項１２乃至１６の何れか一項に記載の方法であって、前記チャネル利用規則は、別々のタイプのＭＢＡＮシステムによる前記ＭＢＡＮスペクトルの重なる利用を阻止するよう生成される方法。
【請求項１８】
請求項１２乃至１８の何れか一項に記載の方法であって、前記通知する工程は、１つ又は複数のアクセス・ポイント及び／又はポートによって行われ、前記方法は更に、
対応するカバレージ・エリアの前記アクセス・ポイント及び／又はポートからＭＢＡＮスペクトル利用及び／又は配置情報を受信する工程を含み、前記チャネル利用規則は、前記ＭＢＡＮスペクトル利用及び／又は配置情報に基づいて生成される方法。
【請求項１９】
請求項１２乃至１８の何れか一項に記載の方法であって、前記通知する工程は、１つ又は複数のアクセス・ポイント及び／又はポートによって行われ、前記方法は更に、
前記アクセス・ポイント及び／又はポートの要求に基づいて前記アクセス・ポイント及び／又はポート間で前記ＭＢＡＮスペクトルの前記少なくとも一部分を動的に調節する工程とを含む方法。
【請求項２０】
請求項１２乃至１９の何れか一項に記載の方法を行うよう１つ又は複数のプロセッサを制御するためのソフトウェアを担持する、一時的でないコンピュータ読み取り可能な媒体。
【発明の詳細な説明】
【技術分野】
【０００１】
本出願は、一般に、無線通信に関する。特に、医療ボディ・エリア・ネットワーク（ＭＢＡＮ）システムに対して適用され、これを特に参照して説明する。しかし、他の用途のシナリオにも適用され、必ずしも上記適用分野に限定される訳でない。
【背景技術】
【０００２】
一般病棟に対し、かつ、物理的な病院の境界を越えて、患者モニタリングなどのケア・サービスを拡張することに向けた一般的な傾向が医療業界において存在している。医療ボディ・エリア・ネットワーク（ＭＢＡＮ）は、ユビキタス・モニタリング・サービスについて鍵となる実現技術の１つである。ＭＢＡＮは、患者の生理学的データをモニタリングするために使用される患者周りのセンサの無線ネットワークである。ＭＢＡＮ通信標準には例えば、米国電気電子学会（ＩＥＥＥ）によって開発されているＩＥＥＥ８０２．１５．６及びＩＥＥＥ８０２．１５．４ｊが含まれる。ＭＢＡＮの臨床上の利点には、限定列挙でないが、現在はモニタリングされていないケア領域へのモニタリングの拡張、医療ワークフロー効率の向上、安全性及び臨床上の結果、患者の移動性、快適性、及び感染管理、モニタリングの柔軟性及びスケーラビリティ、並びに、モニタリング・コスト全体の削減が含まれる。
【０００３】
通常のＭＢＡＮシステムは、心拍数及び心電図（ＥＣＧ）信号などの、患者の生理学的データを捕捉するために患者の身体上に配置されたとても小さないくつかのセンサ・デバイスを含む。捕捉されたデータは、短距離及び低電力のＭＢＡＮを介してハブ・デバイスに転送される。ハブ・デバイスは、局所のベッドサイド・モニタリング装置、携帯電話機、セットトップ・ボックス、又は他の無線デバイスであり得、通常、バックホール・ネットワーク（例えば、セルラ・ネットワーク、ＬＡＮ等）に対する接続を有し、上記接続を介して、収集されたデータが更に、モニタリング・システムに転送される。モニタリング・システムは、患者の生理学的データを解析する役割を果たし、リアルタイムで監視、診断、又は治療のサービスを提供する。
【０００４】
ＭＢＡＮシステムのかなりの社会的利点及び経済的利点を考えれば、医療産業は、セカンダリ・ベースでＭＢＡＮシステムに２３６０−２４００ＭＨｚバンド（以降、「ＭＢＡＮスペクトル」）を開放するよう連邦通信委員会（ＦＣＣ）に対してロビー活動をしてきた。その結果、ＦＣＣは、ＭＢＡＮシステムについてのＭＢＡＮスペクトルの利用のための規制規則を作成している。ＭＢＡＮスペクトルの、広帯域幅、無干渉、及び良好な伝搬特性のおかげで、ＦＣＣがＭＢＡＮスペクトルをＭＢＡＮシステムに開放した場合、大半のＭＢＡＮシステムが、医療グレードの接続性を提供するためにＭＢＡＮスペクトルを利用する可能性が非常に高い。
【０００５】
ＭＢＡＮスペクトルの提案されている割り当てはセカンダリ・ベースであり、これは、ＭＢＡＮスペクトルを利用するＭＢＡＮシステムが、航空モバイル・テレメトリ（ＡＭＴ）ユーザなどのプライマリ・ユーザを保護しなければならないということを意味する。プライマリ・ユーザを保護するために、ＦＣＣは、２３６０−２４００ＭＨｚバンドのセカンダリ利用を規制するいくつかの規則を検討している。一規則によれば、２３６０−２３９０ＭＨｚにおけるＭＢＡＮオペレーションは医療機関のみに制限され、２３９０−２４００ＮＨｚにおけるＭＢＡＮオペレーションは、医療機関、患者の自宅、及び救急車を含む如何なる場所でもよい。別の規則によれば、医療機関は、２３６０−２３９０ＭＨｚスペクトルへのアクセスを得るためにＭＢＡＮコーディネータに登録する必要がある一方、２３９０−２４００ＭＨｚスペクトルは常に、ＭＢＡＮ利用のために利用可能である。ＭＢＡＮコーディネータは、登録された医療機関に電子キーを発行する。電子キーは、ＭＢＡＮスペクトルのどの部分が、登録された医療機関による利用が認可されているかについての情報を含む。
【発明の概要】
【発明が解決しようとする課題】
【０００６】
前述の規則の課題の１つは、登録された医療機関それぞれが、２３６０−２３９０ＭＨｚバンドに対するそのアクセスを規制するために、医療機関内で動作しているＭＢＡＮシステム全てに対してＭＢＡＮコーディネータから受信された電子キーを自動的に配置する必要がある。したがって、電子キー伝達ソリューションが、病院内ＭＢＡＮシステムについて必要である。本出願は、前述のソリューションを提供する新たな、かつ、向上させた方法及びシステムを提供する。
【課題を解決するための手段】
【０００７】
一局面によれば、医療機関の電子キー伝達システムが提供される。システムは、ＭＢＡＮスペクトルのコーディネータから１つ又は複数の電子キーを受信する制御点を含む。電子キーそれぞれは、ＭＢＡＮスペクトルの少なくとも一部分を医療機関が利用することを認可する。システムは更に、受信された電子キーに基づいて１つ又は複数のチャネル利用規則をプロセッサによって生成するチャネル・レギュレータを更に含む。チャネル利用規則は、医療機関のＭＢＡＮシステムがＭＢＡＮスペクトルの少なくとも一部分を利用することを認可する。更に、システムは、チャネル利用規則に基づいてＭＢＡＮスペクトルの現在認可されている部分をＭＢＡＮシステムに通知する１つ又は複数のアクセス・ポイント及び／又はポートを含む。
【０００８】
別の局面によれば、医療機関にわたって電子キーを伝達する方法が提供される。方法は、ＭＢＡＮスペクトルのコーディネータから１つ又は複数の電子キーを受信する工程を含む。電子キーそれぞれは、ＭＢＡＮスペクトルの少なくとも一部分を医療機関が利用することを認可する。更に、１つ又は複数のチャネル利用規則が電子キーに基づいてプロセッサによって生成される。チャネル利用規則は、医療機関のＭＢＡＮシステムがＭＢＡＮスペクトルの少なくとも一部分を利用することを認可する。ＭＢＡＮシステムには更に、チャネル利用規則に基づいてＭＢＡＮスペクトルの現在認可されている部分が通知される。
【０００９】
一利点は、医療機関にわたり、電子キーを自動的に配置することにある。
【００１０】
別の利点は、各種の医療ボディ・エリア・ネットワーク（ＭＢＡＮ）システムとの互換性にある。
【００１１】
別の利点は、リアルタイムのＭＢＡＮスペクトルの利用及び配置のモニタリングにある。
【００１２】
別の利点は、ＭＢＡＮスペクトルの利用及び配置に基づいたＭＢＡＮスペクトルの割り当てにある。
【００１３】
別の利点は、デバイス・タイプに基づいたＭＢＡＮスペクトルの割り当てにある。
【００１４】
別の利点は、アクセス・ポイント及び／又はポートのカバレージ・エリアに基づいたＭＢＡＮスペクトルの割り当てにある。
【００１５】
本発明の更に別の利点は、当業者が以下の詳細な説明を読み、理解することにより、認識されるであろう。
【図面の簡単な説明】
【００１６】
【図１】電子キー伝達システムを示すブロック図である。
【図２】医療ボディ・エリア・ネットワーク（ＭＢＡＮ）システムを示すブロック図である。
【図３】チャネル利用規則の形式を示す図である。
【図４】単一のチャネル利用規則を含むポート及び／又はアクセス・ポイントのキューを示す図である。
【図５】チャネル利用規則を示す図である。
【図６】図５のチャネル利用規則を追加した後、図４のキューを示す図である。
【図７】電子キー情報要素の形式を示す図である。
【図８】医療機関のＭＢＡＮデバイスへＭＢＡＮコーディネータから電子キーを伝達する方法を示すブロック図である。
【発明を実施するための形態】
【００１７】
本発明は、種々の構成部分、及び構成部分の配置、並びに、種々の工程、及び工程の配置の形態をとり得る。図面は、好ましい実施例を示す目的のために過ぎず、本発明を限定するものとして解されない。
【実施例】
【００１８】
図１及び図２を参照すれば、電子キー伝達システム１０を提供する。システム１０は医療ボディ・エリア・ネットワーク（ＭＢＡＮ）コーディネータ１２を含む。ＭＢＡＮコーディネータ１２は、ＭＢＡＮコーディネータ１２に登録された１つ又は複数の医療機関１４による、２３６０−２３９０ＭＨｚなどのＭＢＡＮスペクトルの少なくとも一部分の利用を連携する。通常、ＭＢＡＮスペクトルは、登録された医療機関１４によるセカンダリ・ベースの利用について、連邦通信委員会（ＦＣＣ）などの政府機関によってスペクトル認可される。ＭＢＡＮコーディネータ１２は、通常、プライマリ・ユーザを保護するために、認可者によって定められる１つ又は複数の連携規則に応じてＭＢＡＮスペクトルの利用を連携する。
【００１９】
規則の適用を通じて、ＭＢＡＮコーディネータ１２は、電子キーを、登録された医療機関１４に配布することにより、登録された医療機関１４がＭＢＡＮスペクトルを利用することを選択的に認可する。登録された医療機関の電子キーは、任意的に、時間制限（例えば、ＭＢＡＮオペレーションの期間、有効日時、及び満了日時）、並びに／又は登録された医療機関に一意のＩＤを伴う、登録された医療機関の利用が認可されたＭＢＡＮスペクトルの周波数についての情報を含む。電子キーは、（ネットワークを介して自動的に、又は電子メール等を介して手作業で、などの）データを伝送するのに適した何れかの態様で、登録された医療機関１４に供給することが可能である。
【００２０】
ＭＢＡＮコーディネータ１２の少なくとも１つのデータベース１６は、連携を容易にするよう現在の認可に関するデータを維持する。例えば、ＭＢＡＮコーディネータ１２は、現在の認可を追跡して、プライマリ・ユーザが適切に保護されていることを確実にすることが可能である。更に、一部の実施例では、ＭＢＡＮコーディネータ１２は、データベース１６に、登録された医療機関１４毎の登録レコードを維持する。登録レコードそれぞれは、適宜、対応する医療機関に一意のＩＤを含み、名前、住所、電話番号等の、登録に必要なデータ及び／又は医療機関に発行された電子キーに関するデータを任意的に含む。
【００２１】
登録された医療機関１４はそれぞれ、１つ又は複数のＭＢＡＮシステム１８、２０、２２を含む。ＭＢＡＮシステム１８、２０、２２はそれぞれ、ＭＢＡＮ２４、２６、２８を作成するために、ＩＥＥＥ８０２．１５．６、ＩＥＥＥ８０２．１５．４ｊ、及び専有標準のうちの１つなどのＭＢＡＮ通信標準を使用する。ＭＢＡＮシステム１８、２０、２２によって利用される周波数は、チャネル利用規則（後述する）に基づいて定められ、適宜、ＭＢＡＮスペクトル内に収まる。更に、ＭＢＡＮシステム１８、２０、２２はそれぞれ、ＭＢＡＮ２４、２６、２８を介して通信するハブ・デバイス４２、４４、４６、及び１つ又は複数のセンサ・デバイス３０、３２、３４、３６、３８、４０を含む。
【００２２】
センサ・デバイス３０、３２、３４、３６、３８、４０はそれぞれ、関連付けられた患者４８の生理学的データを捕捉し、捕捉された生理学的データをハブ・デバイス４２、４４、４６にＭＢＡＮ２４、２６、２８を使用して送信する。生理学的データは、１秒などの所定のサンプル・レートで通常、生成される少なくとも１つの生理学的パラメータのセンサ・デバイス３０、３２、３４、３６、３８、４０の１つ又は複数のセンサ５４、５６による測定、及び／又は、センサ・デバイス３０、３２、３４、３６、３８、４０の１つ又は複数のプロセッサ５０、５２による計算を含む。生理学的パラメータの例には、心拍数、呼吸数、血圧、ＥＣＧ信号等が含まれる。一部の実施例では、センサ・デバイス３０、３２、３４、３６、３８、及び４０は、バファリングされた生理学的データの量が所定の量を超えるまでその１つ又は複数のメモリ５８、６０における捕捉された生理学的データをバッファリングする。センサ・デバイス３０、３２、３４、３６、３８、４０は通常、患者４８の外部の上に配置される。しかし、一部の実施例では、センサ・デバイス３０、３２、３４、３６，３８、４０は、更に、又は、代替的に、患者４８内に、かつ／又は、患者４８近くに配置される。
【００２３】
ハブ・デバイス４２、４４、４６は、捕捉された生理学的データをセンサ・デバイス３０、３２、３４、３６，３８、４０から、ＭＢＡＮ２４、２６、２８を使用して受信し、ＭＢＡＮ２４、２６、２８と別の、登録された医療機関の通信ネットワーク６４を介して、登録された医療機関１４のうちの対応する１つのモニタリング・ステーション６２に、捕捉された生理学的データを中継する。通信ネットワーク６４は例えば、ローカル・エリア・ネットワーク、ワイド・エリア・ネットワーク、仮想プライベート・ネットワーク等のうちの１つ又は複数を含む。一部の実施例では、捕捉された生理学的データを受信すると、ハブ・デバイス４２、４４、４６はこれをモニタリング・ステーション６２に直ちに中継する。他の実施例では、ハブ・デバイス４２、４４、４６は、バッファリングされた生理学的データの量が所定の量を超えるまでそのメモリ６６に、受信された生理学的データをバッファリングする。生理学的データを中継することに加えて、ハブ・デバイス４２、４４、４６は、ＭＢＡＮシステムの個人エリア・ネットワーク（ＰＡＮ）コーディネータとしてふるまい、ＭＢＡＮ２４、２６、２８を立ち上げ、ＭＢＡＮ２４、２６、２８とのセンサ・デバイス３０、３２、３４、３６、３８、４０の結合／分離等を制御する。ハブ・デバイス４２、４４、４６は通常、局所ベッドサイド・モニタリング装置、携帯電話機、セットトップ・ボックス、又は他の無線デバイスの１つ及び／又は患者４８の近くに配置される。
【００２４】
モニタリング・ステーション６２は、ＭＢＡＮシステム１８、２０、２２のセンサ・デバイス３０、３２、３４、３６、３８、４０によって捕捉された生理学的データを使用して、悪化についての患者のモニタリングを容易にする。ハブ・デバイスから生理学的データを受信すると、一部の実施例では、モニタリング・ステーション６２は、受信された生理学的データを警報基準とマッチングさせることにより、警報を発出するか否かを判定する。例えば、一部の実施例では、少なくとも１つの生理学的パラメータが閾値を超えた場合、警報を発出し得る。警報基準が、生理学的パラメータの現在値、及び生理学的パラメータの傾向を考慮に入れることが可能であるということが想定される。更に、生理学的データを受信すると、一部の実施例では、受信された生理学的データが、通信ネットワーク６４を介してモニタリング・ステーション６２から遠く離れたディスプレイ・デバイス上、及び／又は、モニタリング・ステーション６２のディスプレイ・デバイス６８上に表示される。
【００２５】
登録された医療機関１４はそれぞれ、ＭＢＡＮコントロール・ポイント７０及びＭＢＡＮチャネル・レギュレータ７２を更に含む。ＭＢＡＮコントロール・ポイント７０は、ＭＢＡＮコーディネータ１２により、登録された医療機関に割り当てられた１つ又は複数の電子キーを受信する。ＭＢＡＮコントロール・ポイント７０は、ＭＢＡＮコーディネータ１２から自動的に又は手作業で電子キーを受信することが可能である。ＭＢＡＮチャネル・レギュレータ７２は、プル又はプッシュ手法により、ＭＢＡＮコントロール・ポイント７０から電子キーを受信し、登録された医療機関のＭＢＡＮシステム１８、２０、２２と、ＭＢＡＮコントロール・ポイント７０との間のインタフェースとしての役目を担う。これは、別々のＭＢＡＮシステム（すなわち、別々のＭＢＡＮ通信標準を使用するＭＢＡＮシステム）のチャネル利用規則に電子キーを変換する。例えば、登録された医療機関は、専有ＭＢＡＮ通信標準を使用するＭＢＡＮシステム、及びＩＥＥＥ８０２．１５．６ＭＢＡＮ通信標準を使用するＭＢＡＮシステムを使用することが可能である。前述の場合、ＭＢＡＮチャネル・レギュレータ７２は、専有ＭＢＡＮシステムのチャネル利用規則、及びＩＥＥＥ８０２．１５．６ＭＢＡＮシステムの別のチャネル利用規則を生成する。
【００２６】
図３を参照すれば、ＭＢＡＮデバイス・タイプ、規則バージョン番号、有効日時、満了日時、及び優先順位付けされた候補チャネル・リストを含む、チャネル利用規則の例示的な形式が提供される。ＭＢＡＮデバイス・タイプは、どのタイプのＭＢＡＮデバイス（ＩＥＥＥ８０２．１５．６ＭＢＡＮデバイスなど）について規則が定義されているかを示す。規則バージョン番号は、規則のバージョン番号を示し、バージョン管理を可能にする。有効日時は、規則の効力が発生する時点を示す。満了日時は、規則が満了する時点を示す。優先順位付けされた候補チャネルのリストは、ＭＢＡＮコーディネータ１２から受信された電子キーによって認可された周波数についての情報を伝達する。一部の実施例では、優先順位付けされた候補チャネルのリストは、電子キーによって認可されたＭＢＡＮスペクトルに収まる無線チャネルに対応するチャネル・インデクスの順序付けされたリストである。前述の実施例では、優先順位付けされた候補チャネルのリストを
（Ｌ，Ｉ１，Ｉ２，…，ＩＬ）
のような形式にコード化することが可能であり、ここで、Ｌはリストの長さであり、Ｉｊ（ｊ＝１，…，Ｌ）はチャネル・インデクスである。i＜jの場合、ＩｉはＩｊよりも優先度が高く、このチャネル規則によって支配されるＭＢＡＮデバイスは、何れのチャネルもそのＭＢＡＮデバイスにより、利用のために利用可能である場合、チャネルＩｊに先行してチャネルＩｉを利用することを検討する。
【００２７】
例として、ＩＥＥＥ８０２．１５．６は、ｆｃ（ｋ）＝２３６１＋１．００＊ｋ  ＭＨｚとしてＭＢＡＮスペクトル（すなわち、２３６０−２４００ＭＨｚ）内の３９のチャネルを定義し、チャネル・インデクスｋ＝０、１、…３８である。更に、専有ＭＢＡＮ標準は、ｆｃ（ｋ）＝２３６２＋２．００＊ｋ  ＭＨｚとして、ＭＢＡＮスペクトル内の１９のチャネルを定義することが可能であり、ここで、チャネル・インデクスｋ＝０、１、．．１８である。登録された医療機関が、２３６０−２３７０ＭＨｚスペクトルの利用を認可するＭＢＡＮコーディネータ１２から電子キーを受信した場合、登録された医療機関内のＭＢＡＮシステムは全て、２３６０−２３７０ＭＨｚスペクトル及び２３９０−２４００ＭＨｚスペクトルへのアクセスが認可される。したがって、ＩＥＥＥ８０２．１５．６ＭＢＡＮデバイスに許可されたチャネルは、チャネル０、１、２、．．．８、３０、３１、３２…、３７、及び３８である一方、専有ＭＢＡＮ標準を使用するＭＢＡＮデバイスに許可されたチャネルはチャネル０、１、２、３、１５、１６、１７、及び１８である。よって、ＭＢＡＮチャネル・レギュレータ７２は、Ｌ＝１８であるとき、（１８、０、１、２、．．．、７、８、３０、３１、３２…、３８）としてＩＥＥＥ８０２．１５．６ＭＢＡＮデバイスの優先順位付けされた候補チャネル・リストを定義することが可能であり、Ｌ＝８であるとき、（８、１８、１７、１６、１５、３、２、１、０）としてＭＢＡＮデバイスの別の優先順位付けされた候補チャネル・リストを定義することが可能である。
【００２８】
一部の実施例では、ＭＢＡＮチャネル・レギュレータ７２は、互いに近くの別々のタイプのＭＢＡＮシステムによる、ＭＢＡＮスペクトルの重なる利用を阻止する旨のチャネル利用規則を生成する。これは、別々の端部からＭＢＡＮスペクトルにアクセスするために、別々のタイプのＭＢＡＮシステムの優先順位付けされた候補チャネル・リストを定義することによって行うことが可能である。例えば、ＩＥＥＥ８０２．１５．６ＭＢＡＮデバイスは低周波側（すなわち、２３６０ＭＨｚ乃至２４００ＭＨｚ）にアクセスすることが可能であり、ＩＥＥＥ８０２．１５．４ｊＭＢＡＮデバイスは高周波側（すなわち、２３６０ＭＨｚ乃至２４００ＭＨｚ）にアクセスすることが可能である。したがって、大半の場合、別々のＭＢＡＮ通信標準を使用する、同じ所に配置されたデバイスは、認可されたスペクトルの別々の部分を利用し、相互干渉の可能性が削減される。
【００２９】
ＭＢＡＮチャネル・レギュレータ７２は、適宜、新たなチャネル利用規則が生成される都度、通信ネットワーク６４の１つ又は複数のアクセス・ポイント及び／又はポート７４、７６を介して、通信ネットワーク６４により、ＭＢＡＮシステム１８、２０、２２にチャネル利用規則を伝達する。アクセス・ポイント及び／又はポート７４、７６は、ＭＢＡＮシステム１８、２０、２２を通信ネットワーク６４に接続する。アクセス・ポイント及び／又はポートは例えば、ハブ又はスイッチのポート、８０２．１１ａ、ｂ、ｇ、ｎ無線アクセス・ポイントを含む。一部の実施例では、チャネル利用規則が、アクセス・ポイント及び／又はポート７４，７６を介してＭＢＡＮシステム１８、２０、２２に直接、送出され、ＭＢＡＮチャネル・レギュレータ７２は、個々のアクセス・ポイント及び／又はポート７４、７６毎に、生成されたチャネル利用規則のキューを維持する。前述のキューは、チャネル利用規則の効果的な日時フィールドに基づいて配列される。アクセス・ポイント及び／又はポートについて、新たなチャネル利用規則がＭＢＡＮチャネル・レギュレータ７２によって生成される都度、ＭＢＡＮチャネル・レギュレータは新たなチャネル利用規則に応じてそのアクセス・ポイント及び／又はポートのキューを更新する。
【００３０】
しかし、通常、チャネル利用規則はアクセス・ポイント及び／又はポート７４、７６に送出され、アクセス・ポイント及び／又はポート７４、７６はチャネル利用規則をＭＢＡＮシステム１８、２０、２２に配布する。アクセス・ポイント及び／又はポート７４、７６がチャネル利用規則をＭＢＡＮシステム１８、２０、２２に配布する場合、各アクセス・ポイント及び／又はポートは、受信チャネル利用規則をキューに維持する。
【００３１】
前述のキューは、チャネル利用規則の有効な日時フィールドに基づいて配列される。アクセス・ポイント及び／又はポートは、チャネル利用規則をＭＢＡＮチャネル・レギュレータ７２から受信する都度、チャネル利用規則に応じてそのキューを更新する。受信されたチャネル利用規則に基づいてキューを更新するために、アクセス・ポイント及び／又はポートは、受信チャネル利用規則の期間（すなわち、有効日時から満了日時まで）が、同じタイプのＭＢＡＮシステムについて定義している、キュー内のチャネル利用規則の期間と重なっているか否かを判定する。受信されたチャネル利用規則と重なる期間を有する規則がキューに存在しない場合、アクセス・ポイント及び／又はポートは、受信チャネル利用規則をキューに挿入し、有効期間に基づいてキューを再配列する。受信されたチャネル利用規則と重なる期間を有し、更に、受信されたチャネル利用規則と同じＭＢＡＮデバイス・タイプを有する１つ又は複数のチャネル利用規則がキューに存在している場合、受信されたチャネル利用規則と重なる期間を有し、更に、受信されたチャネル利用規則と同じＭＢＡＮデバイス・タイプを有する、キュー内のチャネル利用規則毎に、アクセス・ポイント及び／又はポートは、受信されたチャネル利用規則よりも新たな規則バージョン番号を有するかを検査する。肯定の場合、キュー内のこのチャネル利用規則に対する更新は必要でない。否定の場合、重なる期間について、このチャネル利用規則は、受信されたチャネル利用規則によって置き換えられる。キューが次いで、有効日時に基づいて再配列される。キューにおけるチャネル利用キューが満了になると、アクセス・ポイント及び／又はポートは、キューから規則を除去する。
【００３２】
キューの動作を示すために、図４乃至図６に注目されたい。図４に示すように、アクセス・ポート及び／又はポートは、そのキューに単一のチャネル利用規則（規則１）を有する。前述のチャネル利用規則は、タイプＢのＭＢＡＮデバイス用であり、規則バージョン番号１、有効日時２０１１年７月２日１２：０１ａｍ、満了日時（Ｎ／Ａ、すなわち、この規則は満了しない）、及び優先順位付けされた候補チャネル・リスト（（１８、０、１、２、…、７、８、３０、３１、…、３８）、例えば、２３６０−２３７０ＭＨｚ及び２３９０−２４００ＭＨｚにおけるチャネルが電子キーによってイネーブルされることを意味する）を有する。その後、ＭＢＡＮチャネル・レギュレータ７２は、２０１１年９月２日１２：０１ａｍから２０１１年１０月２日１２：００ａｍまで期間の間、２３６０−２３９０ＭＨｚスペクトルの利用をディセーブルする新たな電子キーをＭＢＡＮコントロール・ポイント７２から得る。これは、今度は、図５に示すように、ＭＢＡＮチャネル・レギュレータ７２に、２３９０−２４００ＭＨｚバンドにおけるチャネルのみをイネーブルする旨の新たなチャネル利用規則を生成させる。ＭＢＡＮチャネル・レギュレータ７２は新たなチャネル規則をアクセス・ポイント及び／又はポートに通信する。新たな規則を受信すると、アクセス・ポイント及び／又はポートはキューを更新する。新たな規則の有効期間は、規則１のものと重なり、重なる期間が２０１１年９月２日１２：０１ａｍから２０１１年９月２日１２：００ａｍまでであるので、新たなバージョン番号（すなわち、２）を有する新たな規則は、重なった期間における規則１を置き換える。キューを更新した後、キューは図６に示す通りである。重ならない期間（すなわち、２０１１年７月２日１２：０１  ａｍ乃至２０１１年９月２日１２：０１  ａｍ、及び２０１１年１０月２日１２：０１  ａｍ乃至Ｎ／Ａ）の場合、規則１は、更新された有効／満了日時を伴ってであるが、なお機能する。
【００３３】
アクセス・ポイント及び／又はポートのキュー内の現在の有効チャネル利用規則（すなわち、現在の期間を支配する規則）が、アクセス・ポイント及び／又はポートとの接続（又は結合）を維持する各ＭＢＡＮハブ・デバイスに転送される。ＭＢＡＮハブ・デバイスは、接続要求をアクセス・ポイント及び／又はポートに送出すると、そのＭＢＡＮデバイス・タイプ・パラメータを送出する。アクセス・ポイント及び／又はポートは、接続要求を受け入れた場合、その接続応答の一部としてＭＢＡＮハブ・デバイスに、接続要求に示されたＭＢＡＮタイプについてその現在有効なチャネル利用規則を送出する。一部の実施例では、有効チャネル利用規則は、医療施設ＩＤ（すなわち、登録された医療機関に一意のＩＤ）、ＭＢＡＮデバイス・タイプ、規則バージョン番号、有効日時、及び優先順位付けされた候補チャネル・リストのうちの１つ又は複数のフィールドを含む、電子キー情報要素として表される。前述の電子キー情報要素の例を図７に示す。
【００３４】
接続（又は結合）が開始される際に、現在有効なチャネル利用規則を転送することに加えて、アクセス・ポイント及び／又はポートは、現在有効なチャネル利用規則を報知することが可能である。一部の実施例では、一タイプのＭＢＡＮデバイスの現在の有効なチャネル利用規則における変更に応じて、グループ報知メッセージがタイプの接続（又は結合）されたＭＢＡＮハブ・デバイスそれぞれに送出される。前述の実施例では、グループ報知メッセージは、キュー内の現在有効なチャネル利用規則の電子キー情報要素を含む。更に、一部の実施例では、アクセス・ポイント及び／又はポートは周期的に、それに接続（又は結合）されたＭＢＡＮハブ・デバイスのタイプ毎に、上記タイプの接続（又は結合）されたＭＢＡＮハブ・デバイスそれぞれにグループ報知メッセージを送出する。前述の実施例では、グループ報知メッセージは、上記タイプに対応するキュー内の現在有効なチャネル利用規則の電子キー情報要素を含む。
【００３５】
ハブ・デバイスが電子キー情報要素を受信すると、ハブ・デバイスは通常、優先候補チャネル・リストに定義されたチャネルをイネーブルし、ＭＢＡＮのリストから１つを選ぶ。しかし、一部の実施例では、それを行う前に、ハブ・デバイスは、電子キー情報要素内の医療施設ＩＤ及び／又はデバイス・タイプなどの値が有効であることを確認する。例えば、ハブ・デバイスは、電子キー情報要素のデバイス・タイプ、及び／又は、医療施設ＩＤが、ハブ・デバイスに関連付けられた対応する値に一致することを確認する。否定の場合、電子キー情報要素をたどらず、任意的には、電子キー情報要素を提供したアクセス・ポイント及び／又はポートにエラー報告を送出する。肯定の場合、優先候補チャネル・リストに規定されたチャネルをイネーブルし、ＭＢＡＮのリストから１つを選ぶ。
【００３６】
一部の実施例では、優先候補チャネル・リストからチャネルを選択した後、ＭＢＡＮハブ・デバイスは、選択されたチャネル上でビーコンを報知する。ビーコンは、選択されたチャネル上でセンサ・デバイスが伝送を行うことを可能にするための「キー」を含む。「キー」はいかなるものでもよい。しかし、一部の実施例では、「キー」は医療施設ＩＤである。他の実施例では、センサ・デバイスによって知られている秘密鍵に基づいた医療施設ＩＤ及びビーコン番号の暗号化値（すなわち、キー＝暗号化関数（医療施設ＩＤ、ビーコン番号））である。
【００３７】
受信された電子キー情報要素の優先候補チャネル・リストに規定されたチャネルをイネーブルするために、ハブ・デバイスは優先候補チャネル・リストをＭＢＡＮのセンサ・デバイスに伝達する。前述のチャネル・リストは、ハブ・デバイスとの接続を失った場合にそのハブ・デバイスをセンサ・デバイスが見つけることを支援することが有用である。ハブ・デバイスに関連付けられたセンサ・デバイスは、ハブ・デバイスから、優先順位付けされたチャネル・リストを受信すると、当該バージョンが、それが有するものよりも新しいか検査する。肯定の場合、センサ・デバイスは相応に、そのリスト及びバージョン番号を更新する。
【００３８】
センサ・デバイスがハブ・デバイスに接続する（結合する）と、ハブ・デバイスはその優先候補リストを伝達する。一部の実施例では、ＭＢＡＮに接続するために、ＭＢＡＮセンサ・デバイスは、結合したいハブ・デバイスを見つけるためにチャネル走査を行う。センサ・デバイスは、ビーコンをその所望のハブ・デバイスから受信すると、受信された「キー」に対して復号変換及び認証検査変換を行って、「キー」が有効かを検証する（すなわち、受信された医療施設ＩＤが、それが有するものと同じであり、ＭＢＡＮネットワークＩＤが正しいかを検査する）。「キー」が有効な場合、センサ・デバイスには現在のチャネルへのアクセス権が付与される。センサ・デバイスは、結合（又は接続）プロセスを開始させるその接続（又は結合）要求を送信することが可能である。ハブ・デバイスは、接続要求を受け付けた場合、規則バージョン番号とともに、優先順位付けされた候補チャネル・リストをその接続応答としてＭＢＡＮセンサ・デバイスに送出する。
【００３９】
接続（又は結合）が開始されると、優先候補チャネル・リストを伝達することに加え、ハブ・デバイスはその優先候補チャネル・リストをＭＢＡＮのセンサ・デバイスに報知によって伝達する。例えば、ハブ・デバイスは、優先候補チャネル・リストが更新されると、そのビーコンにおけるそのスレーブ・デバイスに、規則バージョン番号を有するその優先順位付けされた候補チャネル・リストを報知することが可能である。別の例として、ハブ・デバイスは、周期的に、そのビーコン内のそのスレーブ・デバイスに、規則バージョン番号を有するその優先付けされた候補チャネルを報知することが可能である。
【００４０】
一部の実施例では、ＭＢＡＮチャネル・レギュレータ７２は、アクセス・ポイント及び／又はポート７４、７６のカバレージ・エリアにおけるリアルタイムのＭＢＡＮスペクトル利用／配置状況に基づいて通信ネットワーク６４のアクセス・ポイント及び／又はポート７４、７６の少なくとも一部のチャネル利用規則をカスタマイズする。アクセス・ポイント及び／又はポートのカバレージ・エリアにおけるＭＢＡＮスペクトル利用／配置状況が（例えば、患者の移動が理由で）変更されると、アクセス・ポイント及び／又はポートは前述の変更をＭＢＡＮチャネル・レギュレータ７２に通知し、ＭＢＡＮチャネル・レギュレータ７２は、アクセス・ポイント及び／又はポートに、チャネル利用規則の新たな組が必要であるかを評価する。肯定の場合、ＭＢＡＮチャネル・レギュレータ７２はそのアクセス・ポイント及び／又はポートのチャネル利用規則を更新し、更新された規則をアクセス・ポイント及び／又はポートに伝達する。
【００４１】
ＭＢＡＮチャネル・レギュレータ７２は、需要が増加するにつれ、更なるスペクトルをアクセス・ポイント及び／又はポート７４、７６に割り当てることにより、通信ネットワーク６４のアクセス・ポイント及び／又はポート７４、７６の少なくとも一部のチャネル利用規則をカスタマイズすることが可能である。例えば、アクセス・ポイント及び／又はポートのみが、そのカバレージ・エリアにおいて動作しているＭＢＡＮデバイスをいくつか有している場合、それらのＭＢＡＮオペレーションをサポートするためには、２３９０−２４００ＭＨｚスペクトルで十分であり得る。ＭＢＡＮチャネル・レギュレータ７２は、２３６０−２３９０ＭＨｚバンドの認可されたスペクトルにおける一部のチャネルが存在し得る場合でも、２３９０−２４００ＭＨｚバンド内のＭＢＡＮチャネルのみをイネーブルするために、そのアクセス・ポイント及び／又はポートのチャネル利用規則をカスタマイズすることが可能である。これにより、２３６０−２３９０ＭＨｚスペクトル内のＭＢＡＮオペレーションが削減され、プライマリ・ユーザに対する考えられる干渉を回避し得る。一層多くのＭＢＡＮデバイスが、そのアクセス・ポイント及び／又はポートのカバレージ・エリアに移動し、そのアクセス・ポイント及び／又はポートのカバレージ・エリアにおいて動作する場合、ＭＢＡＮチャネル・レギュレータ７２をトリガし、そのアクセス・ポイント及び／ポートがＭＢＡＮ利用のために電子キーによって認可された更に多くのチャネルをイネーブルする旨の新たなチャネル利用規則を生成することが可能である。
【００４２】
ＭＢＡＮチャネル・レギュレータ７２は、認可されたスペクトルを別々のタイプのＭＢＡＮに動的に割り当てることにより、別々のＭＢＡＮ通信標準を使用するＭＢＡＮデバイスの共存を促進するために通信ネットワーク６４のアクセス・ポイント及び／又はポイント７４、７６の少なくとも一部のチャネル利用規則をカスタム化することも可能である。この点で、ＭＢＡＮチャネル・レギュレータ７２は、カスタマイズされたチャネル利用規則を用いてＭＢＡＮスペクトルを重ならないいくつかのサブバンドに分割し、前述の重ならないサブバンドをＭＢＡＮデバイスの各タイプに割り当てて、同じ周波数上で、別々のタイプのＭＢＡＮデバイスが動作することを避けることが可能である。
【００４３】
例えば、第１のアクセス・ポイント及び／又はポートのカバレージ・エリアにおいて動作する２つのＩＥＥＥ８０２．１５．６ＭＢＡＮシステム及び１０個のＩＥＥＥ８０２．１５．４ｊＭＢＡＮシステムが存在し得、第２のアクセス・ポイント及び／又はポートのカバレージ・エリアにおいて動作する４つのＩＥＥＥ８０２．１５．６ＭＢＡＮシステム及び８個のＩＥＥＥ８０２．１５．４ｊＭＢＡＮシステムが存在し得る。ＭＢＡＮチャネル・レギュレータ７２は、第１のアクセス・ポイント及び／又はポート及び第２のアクセス・ポイント及び／又はポートについて別々のチャネル利用規則を生成することが可能である。第１のアクセス・ポイント及び／又はポートについて、ＭＢＡＮチャネル・レギュレータ７２は、（３、１８、１７、１６）として、優先順位付けされた候補チャネル・リストをＩＥＥＥ８０２．１５．６ＭＢＡＮシステムが有する旨のチャネル利用規則を規定し、（１１、０、１、２、．．．，７、８、３０、３１）として、優先順位付けされた候補チャネル・リストをＩＥＥＥ８０２．１５．４ｊＭＢＡＮシステムが有する旨のチャネル利用規則を規定することが可能である。第２のアクセス・ポイント及び／又はポートについて、ＭＢＡＮチャネル・レギュレータ７２は、（４、１８、１７、１６、１５）として、優先順位付けされた候補チャネル・リストをＩＥＥＥ８０２．１５．６ＭＢＡＮシステムが有する旨のチャネル利用規則を規定し、（９、０、１、２、．．．、７、８）として、優先順位付けされた候補チャネル・リストをＩＥＥＥ８０２．１５．４ｊＭＢＡＮシステムが有する旨のチャネル利用規則を規定することが可能である。
【００４４】
システム１０の各構成部分は、その少なくとも１つのメモリ５８、６０、６６、９２、９４、９６、９８、１００、１０２上でコンピュータ実行可能な命令を実行する少なくとも１つのプロセッサ５２、７８、８０、８２、８４、８６、８８、９０を含む。構成部分はＭＢＡＮコーディネータ１２を含み、登録された医療機関１４毎に、ＭＢＡＮコントロール・ポイント７０、ＭＢＡＮチャネル・レギュレータ７２、モニタリング・ステーション６２、アクセス・ポイント及び／ポート７４、７６、及びＭＢＡＮデバイス（すなわち、センサ・デバイス３０、３２、３４、３６、３８、４０、及び対応するハブ・デバイス４２、４４、４６）を含む。コンピュータ実行可能な命令は構成部分の個別の機能を実施する。例えば、コンピュータ実行可能な命令は、ＭＢＡＮコーディネータ１２の連携を実施する。別の例として、コンピュータ実行可能な命令は、センサ・デバイスの生理学的パラメータを測定する工程を実施する。更に、構成部分の少なくとも一部はそれぞれ、サブ構成部分間でデータを交換するために少なくとも１つのシステム・バス１０４、１０６、１０８、１１０、１１２を含む。サブ構成部分は、プロセッサ、メモリ、データベース、ディスプレイ・デバイス、通信装置等を含む。
【００４５】
更に、構成部分それぞれの少なくとも一部は、通信装置１１４、１１６、１１８、１２０、１２２、１２４、１２６、１２８、１３０を含む。通信装置は、少なくとも１つの通信ネットワークとのインタフェースを、対応するプロセッサに提供する。ＭＢＡＮコーディネータ１２の場合、通信装置１１４は、登録された医療機関１４とのインタフェースをプロセッサ７８に提供する。センサ・デバイス３０、３２、３４、３６、３８、４０の場合、通信装置１２８、１３０は、ＭＢＡＮ２４、２６、２８とのインタフェースをそのプロセッサ５０、５２に提供する。ハブ・デバイス４２、４４、４６の場合、通信装置１２６は、ＭＢＡＮ２４、２６、２８及び通信ネットワーク６４とのインタフェースをプロセッサ９０に提供する。アクセス・ポイント及び／又はポート７４、７６の場合、通信装置１２２、１２４は、ＭＢＡＮシステム１８、２０、２２、及び通信ネットワーク６４とのインタフェースをそのプロセッサ８６、８８に提供する。モニタリング・ステーション６２の場合、通信装置１２０は、通信ネットワーク６４とのインタフェースをそのプロセッサ８４に提供する。ＭＢＡＮチャネル・レギュレータ７２の場合、通信装置１１８は、（例えば、通信ネットワーク６４、他の通信ネットワーク、直接リンク等を介して）通信ネットワーク６４及びＭＢＡＮコントロール・ポイント７０とのインタフェースをそのプロセッサ８２に提供する。ＭＢＡＮコントロール・ポイント７０の場合、任意的な通信装置１１６は、（例えば、インターネットを介して）ＭＢＡＮコーディネータ１２及び／又はＭＢＡＮチャネル・レギュレータ７２とのインタフェースをそのプロセッサ８０に提供する。
【００４６】
一部の実施例では、ＭＢＡＮデバイスに電子キー情報を伝達する上記手法は、ＭＢＡＮデバイス、並びに、アクセス・ポイント及び／又はポート７４，７６によって使用されるＭＡＣ又は高位レイヤ通信プロトコルの一部として実現される。更に、一部の実施例では、システム１０の構成部分が合成される。例えば、ＭＢＡＮコントロール・ポイント７０及びＭＢＡＮチャネル・レギュレータ７６を合成することが可能である。
【００４７】
図８を参照すれば、医療機関１４の１つにわたり、電子キーを伝達する方法１５０が提供される。方法１５０は、コーディネータ１２から１つ又は複数の電子キーを受信する工程１５２を含む。電子キーはそれぞれ、医療機関１４がＭＢＡＮスペクトルの少なくとも一部分を利用することを認可する。１つ又は複数のチャネル利用規則は、電子キーに基づいて、チャネル・レギュレータ７２のプロセッサ８２などのプロセッサによって生成される（１５４）。チャネル利用規則は、医療機関１４のＭＢＡＮシステム１８、２０、２２がＭＢＡＮスペクトルの少なくとも一部分を利用することを認可する。ＭＢＡＮシステム１８、２０、２２には更に、チャネル利用規則に基づいてＭＢＡＮスペクトルの現在認可されている部分が更に通知される（１５６）。
【００４８】
本明細書及び特許請求の範囲の記載では、メモリは、一時的でないコンピュータ読み取り可能な媒体、磁気ディスク又は他の磁気記憶媒体、光ディスク又は他の光学記憶媒体、ランダム・アクセス・メモリ（ＲＡＭ）、リードオンリ・メモリ（ＲＯＭ）、又は他の電子メモリ・デバイス若しくはチップ、若しくは動作するよう相互接続されたチップの組、インターネット／イントラネット若しくはローカル・エリア・ネットワークを介して、記憶された命令を取り出し得るインターネット／イントラネット・サーバ等のうちの１つ又は複数を含む。更に、本明細書及び特許請求の範囲の記載では、プロセッサは、マイクロプロセッサ、マイクロコントローラ、グラフィック処理装置（ＧＰＵ）、特定用途向集積回路（ＡＳＩＣ）、フィールドプログラマブル・ゲート・アレイ（ＦＰＧＡ）等を含み、ユーザ入力デバイスは、マウス、キーボード、タッチ画面ディスプレイ、１つ又は複数のボタン、１つ又は複数のスイッチ、１つ又は複数のトグル等を含み、デ―タベースは、１つ又は複数のメモリを含み、ディスプレイ・デバイスは、ＬＣＤディスプレイ、ＬＥＤディスプレイ、プラズマ・ディスプレイ、プロジェクション・ディスプレイ、タッチ画面ディスプレイ等を含む。
【００４９】
本発明は、好ましい実施例を参照して説明してきた。修正及び改変は、上述の詳細な説明を読み、理解することにより、他の者が思いつき得る。例えば、ＭＢＡＮに関して説明しているが、本願の開示は、スペクトル共有が必要である他の適時的なコグニティブ無線システムにも適用される。特許請求の範囲、又はその均等物の範囲内に収まる限り、前述の修正及び命令全てを含むものとして本発明を解することが意図されている。
【図１】
2015505174.tif 000003
【図２】
2015505174.tif 000004
【図３】
2015505174.tif 000005
【図４】
2015505174.tif 000006
【図５】
2015505174.tif 000007
【図６】
2015505174.tif 000008
【図７】
2015505174.tif 000009
【図８】
2015505174.tif 000010
【手続補正書】
【提出日】平成26年6月6日(2014.6.6)
【手続補正１】
【補正対象書類名】特許請求の範囲
【補正対象項目名】全文
【補正方法】変更
【補正の内容】
【特許請求の範囲】
【請求項１】
医療機関の電子キー伝達システムであって、
ＭＢＡＮスペクトルのコーディネータから１つ又は複数の電子キーを受信するコントロール・ポイントであって、前記電子キーはそれぞれ、前記医療機関が前記ＭＢＡＮスペクトルの少なくとも一部分を利用することを認可するコントロール・ポイントと、
前記電子キーに基づいて１つ又は複数のチャネル利用規則をプロセッサによって生成するチャネル・レギュレータであって、前記チャネル利用規則は、前記医療機関のＭＢＡＮシステムが前記ＭＢＡＮスペクトルの少なくとも一部分を利用することを認可するチャネル・レギュレータと、
前記チャネル・レギュレータから前記チャネル利用規則を受信し、前記チャネル利用規則に基づいて前記ＭＢＡＮスペクトルの現在認可されている部分を前記ＭＢＡＮシステムに通知する１つ又は複数のアクセス・ポイント及び／若しくはポートと
を備えるシステム。
【請求項２】
請求項１記載のシステムであって、前記コーディネータは、前記コーディネータに登録された前記医療機関を含む１つ又は複数の医療機関による前記ＭＢＡＮスペクトルの利用を連携し、前記登録された医療機関は、前記ＭＢＡＮスペクトルのセカンダリ・ユーザであり、前記コーディネータは、前記ＭＢＡＮスペクトルのプライマリ・ユーザを保護するために、前記ＭＢＡＮスペクトルの前記利用を連携するシステム。
【請求項３】
請求項１又は２に記載のシステムであって、前記チャネル利用規則はそれぞれ、ＭＢＡＮタイプ、及び前記ＭＢＡＮタイプの認可されたチャネルのリストを含み、前記ＭＢＡＮタイプはＭＢＡＮ通信標準に対応するシステム。
【請求項４】
請求項１乃至３の何れか一項に記載のシステムであって、前記チャネル・レギュレータは、別々のＭＢＡＮタイプによる、前記ＭＢＡＮスペクトルの重なる利用を阻止する旨の前記チャネル利用規則を生成するシステム。
【請求項５】
請求項１乃至４の何れか一項に記載のシステムであって、前記アクセス・ポイント及び／又はポートはそれぞれ、キューにおける前記チャネル・レギュレータから受信されたチャネル利用規則を維持し、前記キューにおける前記チャネル利用規則に基づいて前記ＭＢＡＮスペクトルの現在認可されている部分を、それに接続するか、又は関連付けられたＭＢＡＮシステムに通知するシステム。
【請求項６】
請求項１乃至５の何れか一項に記載のシステムであって、前記チャネル・レギュレータは、対応するカバレージ・エリアの前記アクセス・ポイント及び／又はポートからＭＢＡＮスペクトル利用及び／又は配置情報を受信し、前記チャネル・レギュレータは、前記ＭＢＡＮスペクトル利用及び／又は配置情報に基づいて前記チャネル利用規則を生成するシステム。
【請求項７】
請求項１乃至６の何れか一項に記載のシステムであって、前記チャネル・レギュレータは、前記アクセス・ポイント及び／又はポートの要求に基づいて前記アクセス・ポイント及び／ポート間で前記ＭＢＡＮスペクトルの少なくとも一部分の割り当てを調節するシステム。
【請求項８】
医療機関にわたって電子キーを伝達する方法であって、
ＭＢＡＮスペクトルのコーディネータから１つ又は複数の電子キーを受信する工程であって、前記電子キーはそれぞれ、前記医療機関が前記ＭＢＡＮスペクトルの少なくとも一部分を利用することを認可する工程と、
前記電子キーに基づいて１つ又は複数のチャネル利用規則をプロセッサによって生成する工程であって、前記チャネル利用規則は、前記医療機関のＭＢＡＮシステムが前記ＭＢＡＮスペクトルの少なくとも一部分を利用することを認可する工程と、
前記チャネル利用規則に基づいて前記ＭＢＡＮスペクトルの現在認可されている部分を前記ＭＢＡＮシステムに通知する工程と
を含む方法。
【請求項９】
請求項８記載の方法であって、前記電子キーはそれぞれ、前記ＭＢＡＮスペクトルの少なくとも一部分の利用に関する時間制限を含む方法。
【請求項１０】
請求項８又は９に記載の方法であって、前記コーディネータは、前記コーディネータに登録された前記医療機関を含む１つ又は複数の医療機関による前記ＭＢＡＮスペクトルの利用を連携し、前記登録された医療機関は、前記ＭＢＡＮスペクトルのセカンダリ・ユーザであり、前記コーディネータは、前記ＭＢＡＮスペクトルのプライマリ・ユーザを保護するために、前記登録された医療機関による前記ＭＢＡＮスペクトルの前記利用を連携する方法。
【請求項１１】
請求項８乃至１０の何れか一項に記載の方法であって、前記チャネル利用規則はそれぞれ、ＭＢＡＮタイプ、及び前記ＭＢＡＮタイプの認可されたチャネルのリスト、バージョン、及び時間制限を含み、前記ＭＢＡＮタイプはＭＢＡＮ通信標準に対応する方法。
【請求項１２】
請求項８乃至１１の何れか一項に記載の方法であって、前記チャネル利用規則は、別々のタイプのＭＢＡＮシステムによる前記ＭＢＡＮスペクトルの重なる利用を阻止するよう生成される方法。
【請求項１３】
請求項８乃至１２の何れか一項に記載の方法であって、前記通知する工程は、１つ又は複数のアクセス・ポイント及び／又はポートによって行われ、前記方法は更に、
対応するカバレージ・エリアの前記アクセス・ポイント及び／又はポートからＭＢＡＮスペクトル利用及び／又は配置情報を受信する工程を含み、前記チャネル利用規則は、前記ＭＢＡＮスペクトル利用及び／又は配置情報に基づいて生成される方法。
【請求項１４】
請求項８乃至１３の何れか一項に記載の方法であって、前記通知する工程は、１つ又は複数のアクセス・ポイント及び／又はポートによって行われ、前記方法は更に、
前記アクセス・ポイント及び／又はポートの要求に基づいて前記アクセス・ポイント及び／又はポート間で前記ＭＢＡＮスペクトルの前記少なくとも一部分を動的に調節する工程とを含む方法。
【請求項１５】
請求項８乃至１４の何れか一項に記載の方法を行うよう１つ又は複数のプロセッサを制御するためのソフトウェアを担持する、一時的でないコンピュータ読み取り可能な媒体。
【国際調査報告】
2015505174.tif 000011
2015505174.tif 000012
2015505174.tif 000013